(57)【特許請求の範囲】
【請求項１】
被検体内に導入された医療装置から送信される無線信号を受信する複数の受信アンテナが取り付けられるアンテナ取付部と、
前記アンテナ取付部が着脱可能に取り付けられ、前記被検体に装着される装着部と、
を備えるアンテナホルダーであって、
前記アンテナ取付部は、
前記複数の受信アンテナのうち少なくとも１つの位置が固定される複数のアンテナ固定部と、
前記複数のアンテナ固定部の相対的な位置を可変に連結する連結部と、
前記装着部に取り付けられる第１取付部と、
を有し、
前記装着部は、
前記第１取付部が着脱可能に取り付けられ、前記複数のアンテナ固定部を前記被検体に装着する際の位置を前記被検体の体型に応じて決定する第２取付部を有することを特徴とするアンテナホルダー。
【請求項２】
前記被検体の体型に応じた大きさの複数の前記装着部を備え、
前記複数の装着部がそれぞれ有する複数の前記第２取付部は、前記複数のアンテナ固定部を前記被検体に装着する際の位置を、前記被検体の体型に応じて予め定められた互いに異なる位置に位置決めした状態で固定する複数の位置固定部であることを特徴とする請求項１に記載のアンテナホルダー。
【請求項３】
前記第２取付部は、前記複数のアンテナ固定部を前記被検体に装着する際の位置を、前記被検体の体型に応じて予め定められた互いに異なる位置に位置決めした状態で固定する複数の位置固定部を有することを特徴とする請求項１に記載のアンテナホルダー。
【請求項４】
前記連結部は、前記アンテナ固定部に着脱可能であることを特徴とする請求項１に記載のアンテナホルダー。
【請求項５】
前記装着部は、前記第２取付部が配置されている面と、前記アンテナ取付部を覆う面と、を有することを特徴とする請求項１に記載のアンテナホルダー。
【請求項６】
前記第２取付部は、前記複数のアンテナ固定部を前記被検体に装着する際の位置を、前記被検体に対する腹囲方向又は身長方向の少なくともいずれか一方において、前記被検体の体型に応じて予め定められた互いに異なる複数の位置に位置決めすることを特徴とする請求項１に記載のアンテナホルダー。
【請求項７】
前記複数の位置固定部は、色又は形状の少なくとも一方が異なることを特徴とする請求項３に記載のアンテナホルダー。
【請求項８】
前記連結部は、前記被検体に対する腹囲方向又は身長方向の少なくともいずれか一方に伸縮する伸縮部を有することを特徴とする請求項１に記載のアンテナホルダー。
【請求項９】
標準体型の被検体に装着される前記装着部の前記複数の第２取付部の腹囲方向の間隔は、前記標準体型よりも腹囲が大きい被検体に装着される前記装着部の前記複数の第２取付部の腹囲方向の間隔よりも小さいことを特徴とする請求項２に記載のアンテナホルダー。
【請求項１０】
標準体型の被検体に前記アンテナ取付部を取り付けるための前記複数の第２取付部の腹囲方向の間隔は、前記標準体型よりも腹囲が大きい被検体に前記アンテナ取付部を取り付けるための前記複数の第２取付部の腹囲方向の間隔よりも小さいことを特徴とする請求項３に記載のアンテナホルダー。
【請求項１１】
標準体型の被検体に装着される前記装着部の前記複数の第２取付部の身長方向の間隔は、前記標準体型よりも身長が高い被検体に装着される前記装着部の前記複数の第２取付部の身長方向の間隔よりも小さいことを特徴とする請求項２に記載のアンテナホルダー。
【請求項１２】
標準体型の被検体に前記アンテナ取付部を取り付けるための前記複数の第２取付部の身長方向の間隔は、前記標準体型よりも身長が高い被検体に前記アンテナ取付部を取り付けるための前記複数の第２取付部の身長方向の間隔よりも小さいことを特徴とする請求項３に記載のアンテナホルダー。
【発明の詳細な説明】
【技術分野】
【０００１】
本発明は、アンテナホルダーに関する。
【背景技術】
【０００２】
従来、内視鏡の分野では、患者等の被検体の消化管内に導入可能な大きさに形成されたカプセル形状の筐体内に撮像機能や無線通信機能等を内蔵したカプセル型内視鏡装置が知られている。このカプセル型内視鏡装置は、被検体の口から飲み込まれた後、蠕動運動等によって消化管内等の被検体内部を移動しながら、被検体内部を順次撮像して画像データを生成し、この画像データを順次無線送信する。【０００３】
このようにしてカプセル型内視鏡装置が無線送信した画像データは、被検体の外部に設けられた複数の受信アンテナを介して受信装置に受信される。この複数の受信アンテナの各々は、アンテナホルダーに挿入され、被検体の体表に固定される。例えば、特許文献１には、アンテナホルダーとしての診断用ジャケットに受信アンテナを固定する技術が開示されている。
【先行技術文献】
【特許文献】
【０００４】
【特許文献１】特開２００５−２４５９３８号公報
【発明の概要】
【発明が解決しようとする課題】
【０００５】
しかしながら、上述した特許文献１では、各受信アンテナが診断用ジャケットに固定されており、各受信アンテナの位置関係が可変でないため、被検体の体型に応じて適切な位置に受信アンテナを取り付けることができなかった。【０００６】
本発明は、上記に鑑みてなされたものであって、被検体の体型に応じて適切な位置に受信アンテナを取り付けることができるアンテナホルダーを提供することを目的とする。
【課題を解決するための手段】
【０００７】
上述した課題を解決し、目的を達成するために、本発明の一態様に係るアンテナホルダーは、被検体内に導入された医療装置から送信される無線信号を受信する複数の受信アンテナが取り付けられるアンテナ取付部と、前記アンテナ取付部が着脱可能に取り付けられ、前記被検体に装着される装着部と、を備えるアンテナホルダーであって、前記アンテナ取付部は、前記複数の受信アンテナのうち少なくとも１つの位置が固定される複数のアンテナ固定部と、前記複数のアンテナ固定部の相対的な位置を可変に連結する連結部と、前記装着部に取り付けられる第１取付部と、を有し、前記装着部は、前記第１取付部が取り付けられ、前記被検体に装着された状態の前記複数のアンテナ固定部の前記被検体に対する位置を、前記被検体の体型に応じて予め定められた互いに異なる複数の位置に位置決めする第２取付部を有することを特徴とする。【０００８】
また、本発明の一態様に係るアンテナホルダーは、複数の前記装着部を備え、前記複数の装着部がそれぞれ有する複数の前記第２取付部は、前記複数のアンテナ固定部の前記被検体に対する位置を、前記被検体の体型に応じて予め定められた互いに異なる位置に位置決めした状態で固定する複数の位置固定部であることを特徴とする。【０００９】
また、本発明の一態様に係るアンテナホルダーは、前記第２取付部は、前記複数のアンテナ固定部の前記被検体に対する位置を、前記被検体の体型に応じて予め定められた互いに異なる位置に位置決めした状態で固定する複数の位置固定部を有することを特徴とする。【００１０】
また、本発明の一態様に係るアンテナホルダーは、前記連結部は、前記アンテナ固定部に着脱可能であることを特徴とする。【００１１】
また、本発明の一態様に係るアンテナホルダーは、前記装着部は、前記第２取付部が配置されている面と、前記アンテナ取付部を覆う面と、を有することを特徴とする。【００１２】
また、本発明の一態様に係るアンテナホルダーは、前記第２取付部は、前記複数のアンテナ固定部の前記被検体に対する位置を、前記被検体に対する腹囲方向又は身長方向の少なくともいずれか一方において、前記被検体の体型に応じて予め定められた互いに異なる複数の位置に位置決めすることを特徴とする。【００１３】
また、本発明の一態様に係るアンテナホルダーは、前記複数の位置固定部は、色又は形状の少なくとも一方が異なることを特徴とする。【００１４】
また、本発明の一態様に係るアンテナホルダーは、前記連結部は、前記被検体に対する腹囲方向又は身長方向の少なくともいずれか一方に伸縮する伸縮部を有することを特徴とする。
【発明の効果】
【００１５】
本発明によれば、被検体の体型に応じて適切な位置に受信アンテナを取り付けることができるアンテナホルダーを実現することができる。
【図面の簡単な説明】
【００１６】
【図１】図１は、本発明の実施の形態１に係るアンテナホルダーを備えるカプセル型内視鏡システムの概略構成を示す模式図である。
【図２】図２は、図１に示すアンテナホルダーの概略構成を示す模式図である。
【図３】図３は、図２のアンテナ取付部の拡大図である。
【図４】図４は、アンテナホルダーを肥満体型の被検体に装着した様子を表す図である。
【図５】図５は、図４のアンテナ取付部の拡大図である。
【図６】図６は、図１に示す受信アンテナの概略構成を示す模式図である。
【図７】図７は、変形例１に係るアンテナホルダーのアンテナ取付部における伸縮部の部分拡大図である。
【図８】図８は、変形例２に係るアンテナホルダーのアンテナ取付部における伸縮部の部分拡大図である。
【図９】図９は、変形例３に係るアンテナホルダーの装着部の概略構成を示す模式図である。
【図１０】図１０は、変形例４に係るアンテナホルダーの概略構成を示す模式図である。
【図１１】図１１は、変形例５に係るアンテナホルダーの概略構成を示す模式図である。
【図１２】図１２は、変形例６に係るアンテナホルダーの概略構成を示す模式図である。
【図１３】図１３は、図１２のＡ矢視図である。
【図１４】図１４は、変形例７に係るアンテナホルダーの概略構成を示す模式図である。
【図１５】図１５は、変形例８に係るアンテナホルダーの概略構成を示す模式図である。
【図１６】図１６は、図１５のアンテナ取付部の拡大図である。
【図１７】図１７は、変形例９に係るアンテナホルダーの概略構成を示す模式図である。
【図１８】図１８は、図１７のアンテナ取付部の拡大図である。
【図１９】図１９は、実施の形態２に係る装着部の概略構成を示す模式図である。
【図２０】図２０は、実施の形態２に係るアンテナホルダーを標準体型の被検体に装着した様子を表す図である。
【図２１】図２１は、実施の形態２に係るアンテナホルダーを肥満体型の被検体に装着した様子を表す図である。
【図２２】図２２は、実施の形態３に係るアンテナ取付部を図２に示す装着部に取り付けた場合のアンテナ取付部の拡大図である。
【図２３】図２３は、実施の形態３に係るアンテナ取付部を図４に示す装着部に取り付けた場合のアンテナ取付部の拡大図である。
【図２４】図２４は、実施の形態４に係るアンテナホルダーの概略構成を示す模式図である。
【図２５】図２５は、図２４のアンテナ取付部の拡大図である。
【図２６】図２６は、実施の形態４に係るアンテナホルダーを肥満体型の被検体に装着した様子を表す図である。
【図２７】図２７は、図２６のアンテナ取付部の拡大図である。
【図２８】図２８は、実施の形態５に係るアンテナホルダーの概略構成を示す模式図である。
【図２９】図２９は、図２８を上方から見た図である。
【図３０】図３０は、実施の形態６に係るアンテナホルダーの概略構成を示す模式図である。
【図３１】図３１は、図３０を側方から見た図である。
【図３２】図３２は、実施の形態７に係るアンテナホルダーの概略構成を示す模式図である。
【図３３】図３３は、図３２を上方から見た図である。
【図３４】図３４は、受信アンテナの斜視図である。
【図３５】図３５は、受信アンテナの上面図である。
【図３６】図３６は、受信アンテナの側面図である。
【図３７】図３７は、受信アンテナの側面図である。
【図３８】図３８は、図３５のＢ−Ｂ線に対応する断面図である。
【図３９】図３９は、図６に示すコネクタ部の接続部の拡大図である。
【図４０】図４０は、図３９のＣ−Ｃ線に対応する一部切欠図である。
【図４１】図４１は、受信アンテナの接続部の一部切欠図である。
【図４２】図４２は、図４１に示す領域Ｄの拡大図である。
【図４３】図４３は、受信アンテナの接続部の部分的な斜視図である。
【図４４】図４４は、受信アンテナの接続部の部分的な上面図である。
【図４５】図４５は、図４４のＥ−Ｅ線に対応する断面図である。
【図４６】図４６は、図４４のＦ−Ｆ線に対応する断面図である。
【図４７】図４７は、図６に示すケーブル結束部の拡大図である。
【図４８】図４８は、図４７のＧ矢視図である。
【発明を実施するための形態】
【００１７】
以下に、図面を参照して本発明に係るアンテナホルダーの実施の形態を説明する。なお、これらの実施の形態により本発明が限定されるものではない。本発明は、アンテナホルダー一般に適用することができる。
【００１８】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１９】
（実施の形態１）
図１は、本発明の実施の形態１に係るアンテナホルダーを備えるカプセル型内視鏡システムの概略構成を示す模式図である。図１に示すカプセル型内視鏡システム１は、被検体２内に導入された医療装置としてのカプセル型内視鏡装置３と、被検体２に装着されるアンテナホルダー４と、アンテナホルダー４に取り付けられており、被検体２内に導入されるカプセル型内視鏡装置３から送信される無線信号を受信する複数の受信アンテナ５１（図６参照）を有するアンテナ装置５と、アンテナ装置５が着脱自在に接続され、アンテナ装置５が受信した無線信号に所定の処理を行って記録又は表示する受信装置６と、カプセル型内視鏡装置３によって撮像された被検体２内の画像データに対応する処理及び／又は表示する画像処理装置７と、を備える。
【００２０】
カプセル型内視鏡装置３は、被検体２内を撮像する撮像機能と、被検体２内の体内を撮像して得られた画像データを含む無線信号を受信アンテナ５１へ送信する無線機能と、を有する。カプセル型内視鏡装置３は、被検体２内に飲み込まれることによって被検体２内の食道を通過し、消化管腔の蠕動運動によって被検体２の体腔内を移動する。カプセル型内視鏡装置３は、被検体２の体腔内を移動しながら微小な時間間隔、例えば０．５秒間隔（例えば２ｆｐｓ）で被検体２の体腔内を逐次撮像し、撮像した被検体２内の画像データを生成してアンテナ装置５へ順次送信する。
【００２１】
図２は、図１に示すアンテナホルダーの概略構成を示す模式図である。図２に示すように、アンテナホルダー４は、複数の受信アンテナ５１が取り付けられるアンテナ取付部４１と、アンテナ取付部４１が着脱可能に取り付けられ被検体２に装着される装着部４２と、を備える。図２は、標準体型の被検体２にアンテナホルダー４を装着する様子を表す図であり、位置固定部４２３は、標準体型の被検体２に対して、受信アンテナ５１が腹囲方向及び身長方向において適切な位置に位置決めされるようにアンテナ固定部４１１を位置決めする。また、アンテナホルダー４は、後述する肥満体型の被検体に対して、受信アンテナ５１が腹囲方向及び身長方向において適切な位置に位置決めされるようにアンテナ固定部４１１を位置決めする装着部を備える。
【００２２】
図３は、図２のアンテナ取付部の拡大図である。図３に示すように、アンテナ取付部４１は、それぞれ１つの受信アンテナ５１の位置を固定する６つアンテナ固定部４１１と、アンテナ固定部４１１の相対的な位置を可変に連結する連結部４１２と、装着部４２に取り付けられる第１取付部としての取付部４１３と、を有する。なお、以下においては、説明を簡略化するため、アンテナ固定部４１１の数を６つとして説明するが、受信アンテナ５１の数は、６つに限定されない。
【００２３】
アンテナ固定部４１１は、ポケット状に形成された布等であり、内部に受信アンテナ５１を１つ収容する。ただし、１つのアンテナ固定部が複数の受信アンテナ５１を収容する構成であってもよい。
【００２４】
連結部４１２は、アンテナ固定部４１１及び取付部４１３が配置される連結面４１２ａと、被検体２に対する腹囲方向及び身長方向に伸縮する伸縮部４１２ｂと、を有する。伸縮部４１２ｂは、ゴムやポリウレタン弾性繊維等の伸縮性がある材料からなる。
【００２５】
取付部４１３は、例えばボタンやホック等であり、装着部４２に取り付けられる。
【００２６】
図２に戻り、装着部４２は、被検体２に装着されるベルト部４２１と、アンテナ取付部４１が取り付けられる取付面４２２と、取付部４１３の１つを取り付けられ、被検体２に装着された状態の複数のアンテナ固定部４１１の被検体２に対する位置を、位置決めした状態で固定する第２取付部としての位置固定部４２３と、を有する。
【００２７】
ベルト部４２１は、被検体２に装着されることにより、アンテナホルダー４を被検体２の体表に沿うように固定する。
【００２８】
取付面４２２は、布等の材料からなり、アンテナホルダー４を被検体２に装着した状態において、被検体２の体表に沿うように変形する。ただし、取付面４２２は、伸縮部４１２ｂが伸縮する力によって撓むことが防止されていることが好ましく、十分な強度の材料によって形成されている、又は剛性を有するフレーム等を内部に有することが好ましい。
【００２９】
位置固定部４２３は、取付部４１３と対をなすボタンやフック等であり、取付部４１３が着脱可能に固定される。
【００３０】
図４は、アンテナホルダーを肥満体型の被検体に装着した様子を表す図である。図４に示すように、肥満体型の被検体２Ａに装着されるアンテナホルダー４は、装着部４２とは異なる装着部４２Ａを備える。一方、装着部４２Ａに取り付けられているアンテナ取付部４１は上述したアンテナ取付部４１と同一である。装着部４２Ａの取付面４２２Ａは、装着部４２の取付面４２２より縦横に大きく、第２取付部としての位置固定部４２３Ａは、肥満体型の被検体２Ａに対して、受信アンテナ５１が腹囲方向及び身長方向において適切な位置に位置決めされるようにアンテナ固定部４１１を位置決めする。
【００３１】
図５は、図４のアンテナ取付部の拡大図である。図５に示すように、取付部４１３が装着部４２Ａの位置固定部４２３Ａに取り付けられると、伸縮部４１２ｂが縦横に伸びた状態となる。すなわち、アンテナ固定部４１１の位置が外側に向かって移動し、受信アンテナ５１を肥満体型の被検体２Ａに適した位置に配置することができる。
【００３２】
図６は、図１に示す受信アンテナの概略構成を示す模式図である。図６に示すように、アンテナ装置５は、カプセル型内視鏡装置３から無線信号を受信する複数の受信アンテナ５１、複数の受信アンテナ５１が受信した無線信号を受信装置６へ伝播するアンテナケーブル５３と、を有する。なお、以下においては、説明を簡略化するため、受信アンテナ５１の数を６つとして説明するが、受信アンテナ５１の数は、６つに限定されない。また、アンテナ固定部４１１と受信アンテナ５１との数は必ずしも同一とは限られない。アンテナ装置５の詳細な構成については後述する。
【００３３】
受信装置６は、複数の受信アンテナ５１を介してカプセル型内視鏡装置３から送信された無線信号に含まれる被検体２内の画像データを記録又は被検体２内の画像データに対応する画像を表示する。受信装置６は、画像データに対応する画像を表示する受信表示部６１と、受信装置６を操作するための指示信号及び各受信アンテナ５１の位置に関する情報の入力を受け付ける操作部６２と、を備える。また、受信装置６は、各受信アンテナ５１を介して、カプセル型内視鏡装置３から送信された無線信号を受信し、この受信した無線信号の受信強度（受信電界強度）を受信アンテナ５１毎に算出して記録するとともに、被検体２内におけるカプセル型内視鏡装置３の位置を推定する。受信装置６は、カプセル型内視鏡装置３から受信した無線信号に含まれる画像データと、各受信アンテナ５１が受信した無線信号の受信強度と、カプセル型内視鏡装置３が生成した画像データの時刻情報と、を対応付けて記録する。
【００３４】
画像処理装置７は、受信装置６を介して取得した被検体２内の画像データに対応する画像を表示する。画像処理装置７は、受信装置６から画像データ等を読み取るクレードル７１と、マウス７２ａやキーボード７２ｂ等の操作入力部７２と、画像データに対応する画像を表示する表示部７３と、を有する。クレードル７１は、受信装置６が装着された際に、受信装置６から画像データ、この画像データに関連付けられた各受信アンテナ５１の受信強度、カプセル型内視鏡装置３が生成した画像データの時間情報及びカプセル型内視鏡装置３の識別情報等を取得し、取得した各種情報を画像処理装置７へ転送する。操作入力部７２は、ユーザによる入力を受け付ける。ユーザは、操作入力部７２を操作しつつ、画像処理装置７が順次表示する被検体２内の画像を見ながら、被検体２内部の生体部位、例えば食道、胃、小腸及び大腸等を観察し、被検体２を診断する。
【００３５】
以上説明したように、実施の形態１によれば、アンテナホルダー４が複数の装着部（装着部４２及び装着部４２Ａ）を備え、複数の装着部がそれぞれ有する複数の位置固定部（位置固定部４２３及び位置固定部４２３Ａ）は、被検体に装着された状態の複数のアンテナ固定部４１１の被検体に対する位置を、被検体の体型に応じて予め定められた互いに異なる位置に位置決めした状態で固定する。その結果、実施の形態１によれば、被検体の体型に応じて適切な位置に受信アンテナ５１を取り付けることができる。なお、実施の形態１によれば、アンテナ取付部４１を装着部４２に取り付けた時点でアンテナ固定部４１１の位置が位置決めされるので、アンテナホルダー４を被検体に装着した後に受信アンテナ５１の位置を調整する必要がなく、装着者及び被検体の負担を軽減することができる。
【００３６】
（変形例１）
図７は、変形例１に係るアンテナホルダーのアンテナ取付部における伸縮部の部分拡大図である。図７に示すように、変形例１に係るアンテナ取付部の伸縮部４１２Ａｂは、板状の部材が折り曲げて連結されている蛇腹構造であり、折り曲げられた板状部材が開くことにより左右方向に伸びる。
【００３７】
変形例１のように、伸縮部は、その構造により伸縮性を有する構成であってもよい。従って、伸縮部は、伸縮性を有しない材料からなる構成であってもよい。
【００３８】
（変形例２）
図８は、変形例２に係るアンテナホルダーのアンテナ取付部における伸縮部の部分拡大図である。図８に示すように、変形例２に係るアンテナ取付部の連結部４１２Ｂは、伸縮部４１２Ｂｂと、伸縮部４１２Ｂｂの両側に配置されている接続部４１２Ｂｃと、を有する。接続部４１２Ｂｃは、例えばファスナーである。従って、連結部４１２Ｂは、アンテナ固定部４１１に着脱可能である。その結果、連結部４１２Ｂを取り外すことにより、例えばゴムである伸縮部４１２Ｂｂが劣化した場合に交換することができる。
【００３９】
（変形例３）
図９は、変形例３に係るアンテナホルダーの装着部の概略構成を示す模式図である。図９に示すように、変形例３に係るアンテナホルダーの装着部４２Ｃは、取付面４２２の上下にそれぞれ取り付けられた２本のベルトからなるベルト部４２１Ｃを有する。
【００４０】
変形例３のように、ベルト部のベルトの本数が２以上の複数であり、アンテナホルダーが被検体により密着しやすい構成であってもよい。
【００４１】
（変形例４）
図１０は、変形例４に係るアンテナホルダーの概略構成を示す模式図である。図１０に示すように、変形例４に係るアンテナホルダー４Ｄの装着部４２Ｄは、フレーム（枠）状の取付面４２２Ｄを有する。
【００４２】
変形例４のように、取付面の形状は、アンテナ取付部を取り付けられる形状であり、かつ被検体に装着可能な形状であれば特に限定されない。
【００４３】
（変形例５）
図１１は、変形例５に係るアンテナホルダーの概略構成を示す模式図である。図１１に示すように、変形例５に係るアンテナホルダー４Ｅの装着部４２Ｅにおいて、２本のベルトからなるベルト部４２１Ｅに直接位置固定部４２３が配置されている。
【００４４】
変形例５のように、装着部は、位置固定部を適切な位置に配置可能であり、かつ被検体に装着可能であればよい。従って、装着部が取付面を有しない構成であってもよい。
【００４５】
（変形例６）
図１２は、変形例６に係るアンテナホルダーの概略構成を示す模式図である。図１３は、図１２のＡ矢視図である。図１２、図１３に示すように、変形例６に係るアンテナホルダー４Ｆの装着部４２Ｆにおいて、取付面４２２Ｆは、位置固定部４２３が配置されている面４２２Ｆａと、アンテナ取付部４１を覆う面４２２Ｆｂ及び面４２２Ｆｃと、を有する。面４２２Ｆｂ及び面４２２Ｆｃがアンテナ取付部４１を覆っていることにより、診断時にアンテナ取付部４１が汚れることが防止されている。その結果、診断の都度、アンテナ取付部４１を洗浄する手間を省くことができる。
【００４６】
（変形例７）
図１４は、変形例７に係るアンテナホルダーの概略構成を示す模式図である。図１４に示すように、変形例７に係るアンテナホルダー４Ｇのアンテナ取付部４１Ｇは、４隅に配置されている４つの取付部４１３Ｇを有する。同様に、装着部４２Ｇは、取付部４１３Ｇに対応する位置に４つの位置固定部４２３Ｇを有する。
【００４７】
変形例７のように、取付部は、各アンテナ固定部に対して１つずつ配置されていなくてもよい。
【００４８】
（変形例８）
図１５は、変形例８に係るアンテナホルダーの概略構成を示す模式図である。図１５に示すように、アンテナホルダー４Ｈが肥満体型の被検体２Ａに装着されている。
【００４９】
装着部４２Ｈの取付面４２２Ｈは、装着部４２の取付面４２２より横方向に大きく、装着部４２Ｈの位置固定部４２３Ｈは、肥満体型の被検体２Ａに対して、受信アンテナ５１が腹囲方向において適切な位置に位置決めされるようにアンテナ固定部４１１を位置決めする。
【００５０】
図１６は、図１５のアンテナ取付部の拡大図である。図１６に示すように、取付部４１３が装着部４２Ｈの位置固定部４２３Ｈに取り付けられると、伸縮部４１２ｂが横方向に伸びた状態となる。すなわち、アンテナ固定部４１１の位置が左右方向の外側に向かって移動し、受信アンテナ５１を肥満体型の被検体２Ａに適した位置に配置することができる。
【００５１】
変形例８のように、位置固定部は、腹囲方向のみにおいて適切な位置に位置決めされるようにアンテナ固定部を位置決めしてもよい。
【００５２】
（変形例９）
図１７は、変形例９に係るアンテナホルダーの概略構成を示す模式図である。図１７に示すように、アンテナホルダー４Ｉが高身長な被検体２Ｂに装着されている。
【００５３】
装着部４２Ｉの取付面４２２Ｉは、装着部４２の取付面４２２より縦方向に大きく、装着部４２Ｉの位置固定部４２３Ｉは、高身長な被検体２Ｂに対して、受信アンテナ５１が身長方向において適切な位置に位置決めされるようにアンテナ固定部４１１を位置決めする。
【００５４】
図１８は、図１７のアンテナ取付部の拡大図である。図１８に示すように、取付部４１３が装着部４２Ｉの位置固定部４２３Ｉに取り付けられると、伸縮部４１２ｂが縦方向に伸びた状態となる。すなわち、アンテナ固定部４１１の位置が上下方向の外側に向かって移動し、受信アンテナ５１を高身長な被検体２Ｂに適した位置に配置することができる。
【００５５】
変形例９のように、位置固定部は、身長方向のみにおいて適切な位置に位置決めされるようにアンテナ固定部を位置決めしてもよい。
【００５６】
（実施の形態２）
次に、実施の形態２に係るアンテナホルダーについて説明する。以下の各実施の形態において、実施の形態１と同様の構成には実施の形態１と同じ符号を付し、適宜説明を省略する。
【００５７】
図１９は、実施の形態２に係る装着部の概略構成を示す模式図である。図１９に示すように、実施の形態２に係る装着部４２Ｊにおいて、取付面４２２Ｊは、装着部４２の取付面４２２より縦横に大きく、取付面４２２Ｊには、第２取付部として複数の位置固定部４２３Ｊａ〜４２３Ｊｄが配置されている。複数の位置固定部４２３Ｊａ〜４２３Ｊｄは、被検体に装着された状態の複数のアンテナ固定部４１１の被検体に対する位置を、被検体の体型に応じて予め定められた互いに異なる位置に位置決めした状態で固定する。なお、本実施の形態２のように、取付部と位置固定部との数は同数でなくてもよい。
【００５８】
図２０は、実施の形態２に係るアンテナホルダーを標準体型の被検体に装着した様子を表す図である。図２０に示すように、アンテナホルダー４Ｊにおいて、取付部４１３が位置固定部４２３Ｊａに取り付けられている場合、位置固定部４２３Ｊａは、標準体型の被検体２に対して、受信アンテナ５１が腹囲方向及び身長方向において適切な位置に位置決めされるようにアンテナ固定部４１１を位置決めする。
【００５９】
図２１は、実施の形態２に係るアンテナホルダーを肥満体型の被検体に装着した様子を表す図である。図２１に示すように、アンテナホルダー４Ｊにおいて、取付部４１３が位置固定部４２３Ｊｄに取り付けられている場合、位置固定部４２３Ｊｄは、肥満体型かつ高身長の被検体２Ｃに対して、受信アンテナ５１が腹囲方向及び身長方向において適切な位置に位置決めされるようにアンテナ固定部４１１を位置決めする。
【００６０】
なお、取付部４１３が位置固定部４２３Ｊｂ（図１９参照）に取り付けられている場合、位置固定部４２３Ｊｂは、受信アンテナ５１を左右方向の外側に配置し、肥満体型の被検体２Ａに対して、受信アンテナ５１が腹囲方向において適切な位置に位置決めされるようにアンテナ固定部４１１を位置決めする。同様に、取付部４１３が位置固定部４２３Ｊｃ（図１９参照）に取り付けられている場合、位置固定部４２３Ｊｃは、受信アンテナ５１を上下方向の外側に配置し、高身長な被検体２Ｂに対して、受信アンテナ５１が身長方向において適切な位置に位置決めされるようにアンテナ固定部４１１を位置決めする。また、位置固定部４２３Ｊａ〜４２３Ｊｄは、取付部４１３を取り付ける際に、どの位置固定部に取り付けるかを識別しやすくするため、色又は形状の少なくとも一方が異なることが好ましい。
【００６１】
（実施の形態３）
図２２は、実施の形態３に係るアンテナ取付部を図２に示す装着部に取り付けた場合のアンテナ取付部の拡大図である。図２２に示すように、実施の形態３に係るアンテナ取付部４１Ｋの連結部４１２Ｋは、連結面４１２ａと、複数のアンテナ固定部４１１の相対的な位置を可変に連結する紐状部材４１２Ｋｄと、を有する。また、アンテナ取付部４１Ｋは、１つの連結面４１２ａに対して、少なくとも２つ以上配置されている取付部４１３Ｋを有する。図２に示す装着部４２は、標準体型の被検体２に対して、受信アンテナ５１が適切な位置に位置決めされるようにアンテナ固定部４１１を位置決めする。この状態において、紐状部材４１２Ｋｄは、図２２に示すように弛んでいるが、各取付部４１３Ｋが、位置固定部４２３に固定されているため、アンテナ固定部４１１の位置は固定されている。さらに、取付部４１３Ｋが、１つの連結面４１２ａに対して、少なくとも２つ以上配置されているため、アンテナ固定部４１１が回転して位置がずれることが防止されている。
【００６２】
図２３は、実施の形態３に係るアンテナ取付部を図４に示す装着部に取り付けた場合のアンテナ取付部の拡大図である。図４に示す装着部４２Ａは、肥満体型の被検体２Ａに対して、受信アンテナ５１が適切な位置に位置決めされるようにアンテナ固定部４１１を位置決めする。この状態において、紐状部材４１２Ｋｄは、図２３に示すように真っ直ぐに伸びた状態になる。
【００６３】
実施の形態３のように、連結部は、複数のアンテナ固定部４１１の相対的な位置を可変に連結する部材を有する構成であればよく、連結部が伸縮部を有しない構成であってもよい。なお、連結部が伸縮部を有しない構成の場合、図１４に示す変形例７のように、４隅のみに取付部４１３Ｇを配置する構成とすることができないため、各連結面４１２ａに１つずつ取付部４１３が配置されている必要がある。
【００６４】
（実施の形態４）
図２４は、実施の形態４に係るアンテナホルダーの概略構成を示す模式図である。図２５は、図２４のアンテナ取付部の拡大図である。図２４、図２５に示すように、実施の形態４に係るアンテナホルダー４Ｌのアンテナ取付部４１Ｌ及び装着部４２Ｌは、基準穴４３Ｌを有する。基準穴４３Ｌを被検体２の臍に合わせてアンテナホルダー４Ｌを被検体２に装着することにより、アンテナホルダー４Ｌと被検体２とを適切に位置決めすることができる。
【００６５】
図２６は、実施の形態４に係るアンテナホルダーを肥満体型の被検体に装着した様子を表す図である。図２７は、図２６のアンテナ取付部の拡大図である。図２６、図２７に示すように、アンテナ取付部４１Ｌを肥満体型の被検体２Ａに適した装着部４２ＡＬに取り付けた場合においても、基準穴４３Ｌを肥満体型の被検体２Ａの臍に合わせてアンテナホルダー４ＡＬを被検体２に装着することにより、アンテナホルダー４ＡＬと被検体２Ａとを適切に位置決めすることができる。
【００６６】
（実施の形態５）
図２８は、実施の形態５に係るアンテナホルダーの概略構成を示す模式図である。図２９は、図２８を上方から見た図である。図２８、図２９に示すように、実施の形態５に係るアンテナホルダー４Ｍは、装着部４２Ｃより内側（被検体２側）の上下両端に配置されているフレキシブル部材４４Ｍを有する。
【００６７】
フレキシブル部材４４Ｍは、形状記憶合金や弾性を有するワイヤー等からなり、被検体２の体表に沿って湾曲する。その結果、図２９に示す隙間ができやすい領域Ｓ１において隙間ができることが防止されており、アンテナホルダー４Ｍの被検体２に対する位置が腹囲方向（図２９の矢印ＡＲ１）にずれることが防止されている。
【００６８】
（実施の形態６）
図３０は、実施の形態６に係るアンテナホルダーの概略構成を示す模式図である。図３１は、図３０を側方から見た図である。図３０、図３１に示すように、実施の形態６に係るアンテナホルダー４Ｎは、装着部４２Ｃより内側（被検体２側）の左右両端に配置されているフレキシブル部材４４Ｎを有する。
【００６９】
フレキシブル部材４４Ｎは、実施の形態５と同様に、形状記憶合金や弾性を有するワイヤー等からなり、被検体２の体表に沿って湾曲する。その結果、図３１に示す隙間ができやすい領域Ｓ２において隙間ができることが防止されており、アンテナホルダー４Ｎの被検体２に対する位置が身長方向（図３１の矢印ＡＲ２）にずれることが防止されている。
【００７０】
（実施の形態７）
図３２は、実施の形態７に係るアンテナホルダーの概略構成を示す模式図である。図３３は、図３２を上方から見た図である。図３２、図３３に示すように、実施の形態７に係るアンテナホルダー４Ｏは、装着部４２Ｃより内側（被検体２側）の上下両端に配置されている滑止部材４５Ｏを有する。滑止部材４５Ｏは、ゴム等からなり、アンテナホルダー４Ｏの被検体２に対する位置が腹囲方向（図３３の矢印ＡＲ３）にずれることを防止する。
【００７１】
〔アンテナ装置の構成〕
次に、アンテナ装置５の詳細な構成について説明する。図３４は、受信アンテナの斜視図である。図３５は、受信アンテナの上面図である。図３６、図３７は、受信アンテナの側面図である。図３４〜図３７に示すように、受信アンテナ５１は、カプセル型内視鏡装置３から無線信号を受信するアンテナ線５１１と、アンテナ線５１１が配置されているシート状のシート部５１２と、アンテナ線５１１とアンテナケーブル５３とを接続する接続部５１３と、を有する。
【００７２】
図３８は、図３５のＢ−Ｂ線に対応する断面図である。図３８に示すように、接続部５１３は、接続部５１３の上面側を覆う硬性部材５１３ａと、接続部５１３の下面側を覆う硬性部材５１３ｂと、接続部５１３の側面を覆う軟性部材５１３ｃと、を有する。硬性部材５１３ａ及び硬性部材５１３ｂは、例えば硬性な樹脂からなり、軟性部材５１３ｃは、例えば軟性な樹脂からなる。
【００７３】
硬性部材５１３ａには、凹部５１３ａａが形成されており、硬性部材５１３ａ及び硬性部材５１３ｂと軟性部材５１３ｃとを一体成型する際に、凹部５１３ａａに軟性部材５１３ｃが流入する。その結果、接続部５１３に図３８の上下方向から力が加わり、硬性部材５１３ａ及び硬性部材５１３ｂと軟性部材５１３ｃとが剥離してしまうことが防止されている。
【００７４】
図３９は、図６に示すコネクタ部の接続部（接続部５２１）の拡大図である。図４０は、図３９のＣ−Ｃ線に対応する一部切欠図である。図４０に示すように、コネクタ部５２とアンテナケーブル５３とを接続する接続部５２１は、接続部５２１の一部を覆う硬性部材５２１ａと、接続部５２１の基端側（アンテナケーブル５３側）に接続された軟性部材５２１ｃと、アンテナケーブル５３が挿通されているカシメ部材５２１ｄと、カシメ部材５２１ｄの周囲に充填された軟性部材５２１ｅと、を有する。硬性部材５２１ａは、例えば硬性な樹脂からなり、軟性部材５２１ｃ及び軟性部材５２１ｅは、例えば軟性な樹脂からなる。
【００７５】
カシメ部材５２１ｄは、例えば管状の金属からなる部材であり、アンテナケーブル５３が挿通された状態でカシメられることにより、アンテナケーブル５３に固定されている。図４０に示すように、硬性部材５２１ａの間の隙間にカシメ部材５２１ｄが配置され、カシメ部材５２１ｄの周囲に軟性部材５２１ｅが充填されていることにより、コネクタ部５２からアンテナケーブル５３が脱けることが防止されている。
【００７６】
図４１は、受信アンテナの接続部（接続部５１３）の一部切欠図である。図４２は、図４１に示す領域Ｄの拡大図である。図４２に示すように、接続部５１３は、アンテナケーブル５３が挿通されているカシメ部材５１３ｄを有する。カシメ部材５１３ｄは、例えば管状の金属からなる部材であり、アンテナケーブル５３が挿通された状態でカシメられることにより、アンテナケーブル５３に固定されている。硬性部材５１３ａ及び硬性部材５１３ｂの間の隙間にカシメ部材５１３ｄが配置され、カシメ部材５１３ｄの周囲に軟性部材５１３ｃが充填されていることにより、接続部５１３からアンテナケーブル５３が脱けることが防止されている。
【００７７】
図４３は、受信アンテナの接続部（接続部５１３）の部分的な斜視図である。図４４は、受信アンテナの接続部（接続部５１３）の部分的な上面図である。図４３、図４４に示すように、接続部５１３の内部には、アンテナ線５１１に電気的に接続されている電子部品５１３ｅが格納されている。電子部品５１３ｅの先端側（アンテナ線５１１側）には、パッキン５１３ｆが配置されている。パッキン５１３ｆは、シリコーンやゴム等の部材からなり、シート部５１２と軟性部材５１３ｃとの間の隙間から進入した液体が電子部品５１３ｅに到達することを防止する。
【００７８】
図４５は、図４４のＥ−Ｅ線に対応する断面図である。図４６は、図４４のＦ−Ｆ線に対応する断面図である。図４５、図４６に示すように、パッキン５１３ｆの端部は四角形にされており、硬性部材５１３ａに設けられた凹部に嵌まっている。パッキン５１３ｆが凹部に嵌合することにより、パッキン５１３ｆの端部から液体が浸入することが防止されている。
【００７９】
図３６を参照し、接続部５１３のシート部５１２側の上下には、それぞれ傾斜部５１３ｇ、傾斜部５１３ｈが形成されている。その結果、シート部５１２の接続部５１３に対する段差を小さくし、受信アンテナ５１が曲げられた場合に、シート部５１２の接続部５１３との境界部に大きな負荷がかかることが防止されている。
【００８０】
図４７は、図６に示すケーブル結束部の拡大図である。図４８は、図４７のＧ矢視図である。図４７に示すように、ケーブル結束部５３１は、隣り合うアンテナケーブル５３の間に隙間５３２が形成されるように複数のアンテナケーブル５３を結束する。図４８に示すように、ケーブル結束部５３１は、側方から見ると球状にされている。その結果、隙間５３２にブラシ等の洗浄具が進入しやすくなり、隙間５３２に溜まった汚れに対する洗浄性が向上している。ただし、ケーブル結束部５３１は、洗浄性を向上させる形状であれば球状に限られず、アンテナケーブル５３が延伸する方向と、アンテナケーブル５３に対してケーブル結束部５３１が突出する方向とのなす角α（図４８参照）が少なくとも鈍角であればよい。
【００８１】
さらなる効果や変形例は、当業者によって容易に導き出すことができる。よって、本発明のより広範な態様は、以上のように表し、かつ記述した特定の詳細及び代表的な実施の形態に限定されるものではない。従って、添付のクレーム及びその均等物によって定義される総括的な発明の概念の精神又は範囲から逸脱することなく、様々な変更が可能である。
【符号の説明】
【００８２】
１  カプセル型内視鏡システム
２、２Ａ、２Ｂ、２Ｃ  被検体
３  カプセル型内視鏡装置
４、４Ｄ、４Ｅ、４Ｆ、４Ｇ、４Ｈ、４Ｉ、４Ｊ、４Ｌ、４ＡＬ、４Ｍ、４Ｎ、４Ｏ  アンテナホルダー
４１、４１Ｇ、４１Ｋ、４１Ｌ  アンテナ取付部
４２、４２Ａ、４２Ｃ、４２Ｄ、４２Ｅ、４２Ｆ、４２Ｇ、４２Ｈ、４２Ｉ、４２Ｊ、４２Ｌ、４２ＡＬ  装着部
５  アンテナ装置
６  受信装置
７  画像処理装置
４３Ｌ  基準穴
４４Ｍ、４４Ｎ  フレキシブル部材
４５Ｏ  滑止部材
５１  受信アンテナ
５２  コネクタ部
５３  アンテナケーブル
６１  受信表示部
６２  操作部
７１  クレードル
７２  操作入力部
７２ａ  マウス
７２ｂ  キーボード
７３  表示部
４１１  アンテナ固定部
４１２、４１２Ｂ、４１２Ｋ  連結部
４１２ａ  連結面
４１２ｂ、４１２Ａｂ、４１２Ｂｂ  伸縮部
４１２Ｋｄ  紐状部材
４１２Ｂｃ  接続部
４１３、４１３Ｇ、４１３Ｋ  取付部
４２１、４２１Ｃ、４２１Ｅ  ベルト部
４２２、４２２Ａ、４２２Ｄ、４２２Ｆ、４２２Ｈ、４２２Ｉ、４２２Ｊ  取付面
４２２Ｆａ、４２２Ｆｂ、４２２Ｆｃ  面
４２３、４２３Ａ、４２３Ｇ、４２３Ｈ、４２３Ｉ、４２３Ｊａ〜４２３Ｊｄ  位置固定部
５１１  アンテナ線
５１２  シート部
５１３、５２１  接続部
５１３ａ、５１３ｂ、５２１ａ  硬性部材
５１３ａａ  凹部
５１３ｃ、５２１ｃ、５２１ｅ  軟性部材
５１３ｅ  電子部品
５１３ｆ  パッキン
５１３ｇ、５１３ｈ  傾斜部
５２１ｄ、５１３ｄ  カシメ部材
５３１  ケーブル結束部
５３２  隙間
【要約】
アンテナホルダーは、被検体内に導入された医療装置から送信される無線信号を受信する複数の受信アンテナが取り付けられるアンテナ取付部と、アンテナ取付部が着脱可能に取り付けられ、被検体に装着される装着部と、を備えるアンテナホルダーであって、アンテナ取付部は、複数の受信アンテナのうち少なくとも１つの位置が固定される複数のアンテナ固定部と、複数のアンテナ固定部の相対的な位置を可変に連結する連結部と、装着部に取り付けられる第１取付部と、を有し、装着部は、第１取付部が取り付けられ、被検体に装着された状態の複数のアンテナ固定部の被検体に対する位置を、被検体の体型に応じて予め定められた互いに異なる複数の位置に位置決めする第２取付部を有する。これにより、被検体の体型に応じて適切な位置に受信アンテナを取り付けることができるアンテナホルダーを提供する。【図１】
0006405496.tif 000002
【図２】
0006405496.tif 000003
【図３】
0006405496.tif 000004
【図４】
0006405496.tif 000005
【図５】
0006405496.tif 000006
【図６】
0006405496.tif 000007
【図７】
0006405496.tif 000008
【図８】
0006405496.tif 000009
【図９】
0006405496.tif 000010
【図１０】
0006405496.tif 000011
【図１１】
0006405496.tif 000012
【図１２】
0006405496.tif 000013
【図１３】
0006405496.tif 000014
【図１４】
0006405496.tif 000015
【図１５】
0006405496.tif 000016
【図１６】
0006405496.tif 000017
【図１７】
0006405496.tif 000018
【図１８】
0006405496.tif 000019
【図１９】
0006405496.tif 000020
【図２０】
0006405496.tif 000021
【図２１】
0006405496.tif 000022
【図２２】
0006405496.tif 000023
【図２３】
0006405496.tif 000024
【図２４】
0006405496.tif 000025
【図２５】
0006405496.tif 000026
【図２６】
0006405496.tif 000027
【図２７】
0006405496.tif 000028
【図２８】
0006405496.tif 000029
【図２９】
0006405496.tif 000030
【図３０】
0006405496.tif 000031
【図３１】
0006405496.tif 000032
【図３２】
0006405496.tif 000033
【図３３】
0006405496.tif 000034
【図３４】
0006405496.tif 000035
【図３５】
0006405496.tif 000036
【図３６】
0006405496.tif 000037
【図３７】
0006405496.tif 000038
【図３８】
0006405496.tif 000039
【図３９】
0006405496.tif 000040
【図４０】
0006405496.tif 000041
【図４１】
0006405496.tif 000042
【図４２】
0006405496.tif 000043
【図４３】
0006405496.tif 000044
【図４４】
0006405496.tif 000045
【図４５】
0006405496.tif 000046
【図４６】
0006405496.tif 000047
【図４７】
0006405496.tif 000048
【図４８】
0006405496.tif 000049